(57)【特許請求の範囲】
【請求項１】
平行に直立する左右の側柱部材１・１’と、これらの側柱部材１・１’を繋ぐように上端部から下端部まで所定間隔で配設され、かつ、分割された左片Ｅと右片Ｅ’が対応する接合部位で連結された横桟部材２・２…と、前記側柱部材１・１’の端部の内側側面と最上部の横桟部材２の下面、或いは最下部の横桟部材２の上面に取着されて両者を連結可能な連結片３・３’とを含んで構成され、
前記左片Ｅと右片Ｅ’をスライドさせて任意の位置で接合部位を止着することにより幅調節が可能である一方、連結片３・３’の側柱部材１・１’に対する取着位置を上下に移動させることで高さ調節も可能であることを特徴とする壁下地構築ユニット。
【請求項２】
最上部と最下部の横桟部材Ｐ・Ｐの左辺Ｅと右辺Ｅ’に、接合面が上下方向を向く相欠き部21・21’が形成される一方、中間部位の横桟部材Ｑ・Ｑ…の左辺Ｅと右辺Ｅ’には、接合面が横向きの相欠き部21・21’が形成されていることを特徴とする請求項１記載の壁下地構築ユニット。
【請求項３】
連結片３・３’の側柱部材１・１’への当接部位に上下方向に伸びたスリット34・34を設け、更にこのスリット34・34に頭付き止着部材32・32を差し込んで連結片３・３’を側柱部材１・１’に固定可能としたことにより、前記止着部材32・32を緩めた状態で連結片３・３’を側柱部材１・１’に対し上下方向にスライド可能としたことを特徴とする請求項１または２に記載の壁下地構築ユニット。
【請求項４】
平行に直立する左右の側柱部材１・１’と、これらの側柱部材１・１’を繋ぐように上端部から下端部まで所定間隔で配設され、かつ、分割された左片Ｅと右片Ｅ’が対応する接合部位で連結された横桟部材２・２…と、前記側柱部材１・１’の端部の内側側面と最上部の横桟部材２・２’の下面、或いは最下部の横桟部材２の上面に取着されて両者を連結可能な連結片３・３’とから成る幅調節型の第一ユニット部材Ｕ1と、
平行に直立する左右の側柱部材１・１’と、これらの側柱部材１・１’を繋ぐように上端部から下端部まで所定間隔で配設された横桟部材２・２…と、前記側柱部材１・１’の端部の内側側面および最上部の横桟部材２の下面、或いは最下部の横桟部材２の上面に取着されて両者を連結可能な連結片３・３’とから成る幅固定型の第二ユニット部材Ｕ2とを含んで構成されていることを特徴とする壁下地構築キット。
【請求項５】
脱衣所側に突出した側壁部分Ｓを有するユニットバスＢを設置した浴室脱衣所における間仕切り壁の構築キットであって、
平行に直立する左右の側柱部材１・１’と、これらの側柱部材１・１’を繋ぐように上端部から下端部まで所定間隔で配設され、かつ、分割された左片Ｅと右片Ｅ’が対応する接合部位で連結された横桟部材２・２…と、前記側柱部材１・１’の端部の内側側面と最上部の横桟部材２・２’の下面、或いは最下部の横桟部材２の上面に取着されて両者を連結可能な連結片３・３’とから成る幅調節型の第一ユニット部材Ｕ1と、
平行に直立する左右の側柱部材１・１’と、この左右の側柱部材１・１’を繋ぐように所定間隔で配設される横桟部材２・２…と、前記側柱部材１・１’の内側側面および最上部の横桟部材２の下面に取着されて側柱部材１・１’と横桟部材２とを連結可能な連結片３・３’とから成る幅固定型の第二ユニット部材Ｕ2と、
左右一対の側柱部材１・１’と、この左右の側柱部材１・１’に所定間隔で配設される横桟部材２・２…と、一方の側柱部材１の内側側面と最上部の横桟部材２の下面、或いは最下部の横桟部材２の上面に取着されて両者を連結可能な連結片３とから成る、前記第二ユニット部材Ｕ2よりも幅が狭い幅固定型の第三ユニット部材Ｕ3とを含んで構成され、
前記ユニットバスＢの突出した側壁部分Ｓに沿って第一ユニット部材Ｕ1と第二ユニット部材Ｕ2が並設されると共に、前記突出した側壁の段差部分Ｒに沿って第三ユニット部材Ｕ3が配設されることを特徴とする浴室脱衣所の間仕切り壁構築キット。
【請求項６】
左右の側柱部材１・１’の上下端部が横桟部材２・２によって連結され、更にこの側柱部材１・１と横桟部材２・２の内側に縦桟部材４・４…が所定間隔で配設されると共に、一方の側柱部材１と横桟部材２とが連結片３で連結されて成る幅調節型の第四ユニット部材Ｕ4を含んで構成され、この第四ユニット部材Ｕ4がユニットバスＢのドアＤの上方に配設されることを特徴とする請求項５記載の浴室脱衣所の間仕切り壁構築キット。
【請求項７】
ユニットバスＢのドアＤ前方に設置する外付けドア枠Ｗを含んで構成され、この外付けドア枠Ｄの上方に第四ユニット部材Ｕ4が配設されることを特徴とする請求項６記載の浴室脱衣所の間仕切り壁構築キット。
【発明の詳細な説明】
【技術分野】
【０００１】
本発明は、壁下地構築ユニットの改良、詳しくは、室内の天井高さや壁下地の施工幅が異なる場合でも対応が可能で、また施工作業の容易化も図れ、しかも、浴室脱衣所のリフォームも低予算で迅速に行える壁下地構築ユニット、及びこのユニットを含む壁下地構築キット、及び浴室脱衣所の間仕切り壁構築キットに関するものである。
【背景技術】
【０００２】
近年、一般住宅において新築するよりも遙かに低予算で内装を一新できるリフォームの人気は依然として高い。また、リフォームを行う際には室内の間取りを変えるために間仕切り壁を再構築することもよく行われる。
【０００３】
そして、上記間仕切り壁の施工に関しては、まず土台と頭継ぎを床と天井に固定した後、この頭継ぎと土台に柱材を所定間隔で取り付け、更にこれらの柱材に横架材を架け渡して行うのが一般的である(例えば、特許文献１参照)
【０００４】
しかしながら、上記の施工方法では、長く重い土台や柱材等の部材を運んだり組み付けたりする作業に高度な技術が必要となったため、間仕切り壁の施工を大工等の専門職に頼らねばならなかった。
【０００５】
またそれにより、浴室脱衣所のリフォームにおいて、ユニットバス等を設置する設備業者と、間仕切り壁を施工する大工とを別々に雇う必要が生じたことから、人件費が嵩んでリフォームの予算が高く付くだけでなく、作業日程を別々に割り振ることで時間も余計にかかり易かった。
【０００６】
一方、従来においては、柱材と横架材を梯子状に組み立てたユニット部材を予め作製しておき、このユニット部材を複数並べて床や天井に固定することにより簡単に間仕切り壁を施工できるようにした技術も提案されている(特許文献２参照)。
【０００７】
しかしながら、この従来技術に関しても、ユニット部材の幅や高さが固定されていたため、施工する室内の天井高さや間仕切りの施工幅に応じてユニット部材を毎回設計する必要がある等、コストパフォーマンスの面で問題があった。
【先行技術文献】
【特許文献】
【０００８】
【特許文献１】特開平６−２５７２４０号公報（第２頁、第１１―１２図）
【特許文献２】特開平８−７４３５７号公報（第２−８頁、第１―９図）
【発明の開示】
【発明が解決しようとする課題】
【０００９】
本発明は、上記の如き問題に鑑みて為されたものであり、その目的とするところは、室内の天井高さや壁下地の施工幅が異なる場合にも対応が可能で、また施工作業を高度な技術を要しない程度まで容易化することができ、しかも、浴室脱衣所のリフォームを低予算で迅速に行える壁下地構築ユニット、及びこのユニットを含む壁下地構築キット、及び浴室脱衣所の間仕切り壁構築キットを提供することにある。
【課題を解決するための手段】
【００１０】
本発明者が上記課題を解決するために採用した手段を添付図面を参照して説明すれば次のとおりである。
【００１１】
即ち、本発明は、壁下地構築ユニットを、平行に直立する左右の側柱部材１・１’と；これらの側柱部材１・１’を繋ぐように上端部から下端部まで所定間隔で配設され、かつ、分割された左片Ｅと右片Ｅ’が対応する接合部位で連結された横桟部材２・２…と；前記側柱部材１・１’の上端部の内側側面と最上部の横桟部材２の下面、或いは最下部の横桟部材２の上面に取着されて両者を連結可能な連結片３・３’とを含んで構成し、
前記左片Ｅと右片Ｅ’をスライドさせて任意の位置で接合部位を止着することにより幅調節を可能とする一方、連結片３・３’の側柱部材１・１’に対する取着位置を上下に移動させることで高さ調節も可能とした点に特徴がある。
【００１２】
また本発明では、必要に応じて上記技術的手段に加え、最上部と最下部の横桟部材Ｐ・Ｐの左辺Ｅと右辺Ｅ’に、接合面が上下方向を向く相欠き部21・21’を形成する一方、中間部位の横桟部材Ｑ・Ｑ…の左辺Ｅと右辺Ｅ’には、接合面が横向きの相欠き部21・21’を形成するという技術的手段を採用することもできる。
【００１３】
そしてまた、本発明においては、上記技術的手段に加え、連結片３・３’の側柱部材１・１’への当接部位に上下方向に伸びたスリット34・34を設け、更にこのスリット34・34に頭付き止着部材32・32を差し込んで連結片３・３’を側柱部材１・１’に固定可能としたことにより、前記止着部材32・32を緩めた状態で連結片３・３’を側柱部材１・１’に対し上下方向にスライドできるようにすることもできる。
【００１４】
また本発明では、平行に直立する左右の側柱部材１・１’と；これらの側柱部材１・１’を繋ぐように上端部から下端部まで所定間隔で配設された横桟部材２・２…と；前記側柱部材１の上端部の内側側面および最上部の横桟部材２の下面、或いは最下部の横桟部材２の上面に取着されて両者を連結可能な連結片３・３’とから成る幅固定型の第二ユニット部材Ｕ2と上記構成から成る幅調節型の第一ユニット部材Ｕ1とから壁下地構築キットを構成することもできる。
【００１５】
そしてまた、本発明においては、脱衣所側に突出した側壁部分Ｓを有するユニットバスＢを設置した浴室脱衣所における間仕切り壁の構築キットを、上記構成から成る幅調節型の第一ユニット部材Ｕ1と幅固定型の第二ユニット部材Ｕ2に加え、
左右一対の側柱部材１・１’と；この左右の側柱部材１・１’に所定間隔で配設される横桟部材２・２…と；一方の側柱部材１の内側側面と最上部の横桟部材２の下面、或いは最下部の横桟部材２の上面に取着されて両者を連結可能な連結片３とから成る、前記第二ユニット部材Ｕ2よりも幅が狭い幅固定型の第三ユニット部材Ｕ3を含んで構成し、
前記第一ユニット部材Ｕ1と第二ユニット部材Ｕ2をユニットバスＢの突出した側壁部分Ｓに沿って並設すると共に、前記第三ユニット部材Ｕ3を突出した側壁の段差部分Ｒに沿って配設することもできる。
【００１６】
また本発明においては、必要に応じて上記技術的手段に加え、左右一対の側柱部材１・１の上下端部が、側柱部材１・１よりも長い横桟部材２・２によって連結され、更にこの側柱部材１・１と横桟部材２・２の内側に縦桟部材４・４…が所定間隔で配設されると共に、一方の側柱部材１と横桟部材２とが連結片３で連結されて成る幅調節型の第四ユニット部材Ｕ4を含んで構成して、この第四ユニット部材Ｕ4をユニットバスＢのドアＤの上方に配設することもできる。
【００１７】
そして更に本発明では、必要に応じて上記技術的手段に加え、ユニットバスＢのドアＤ前方に設置する外付けドア枠Ｗを含んで構成して、この外付けドア枠Ｄの上方に第四ユニット部材Ｕ4が配設することもできる。
【発明の効果】
【００１８】
本発明では、壁下地構築ユニットを、側柱部材と横桟部材とを梯子状に組んで構成すると共に、横桟部材を左右に分割して対応する接合部位を間隔調節自在に連結可能としたことにより、左右の横桟片をスライドさせて任意の位置で接合部位を止着すればユニット部材の幅を自由に調整することが可能となる。
【００１９】
また、本発明では、最上部或いは最下部の横桟部材と側柱部材とをＬ型板材で連結してユニット部材を構成しているため、Ｌ型板材の側柱部材に対する取着位置を上下させればユニット部材の高さも調節が可能となる。
【００２０】
そしてこれにより、間仕切り壁を施工する室内の天井高さや間仕切りの施工幅が異なる場合でも、ユニット部材の幅と高さを調節して対応することが可能となるため、共通のユニット部材を多くの現場で使用することができ、また大量生産によるコストパフォーマンスの向上も図れる。
【００２１】
また、上記梯子状のユニット部材は、比較的軽量でサイズを抑えて作製することができるため、部材の持ち運びや組み付けに高度な技術が不要となり、間仕切りの施工作業を容易化できる。そして、浴室脱衣所のリフォームにおいては、設備業者でも間仕切りの施工を行うことが可能となるため、人件費の削減および工期の短縮を図ることができる。
【００２２】
したがって、本発明により、間仕切り壁および内外壁の壁下地の施工作業の容易化と施工コストの削減を実現できる機能性に優れた壁下地構築ユニットを提供できることから、本発明の実用的利用価値は頗る高い。
【図面の簡単な説明】
【００２３】
【図１】本発明の実施例１における第一ユニット部材を表わす全体斜視図である。
【図２】本発明の実施例１における第一ユニット部材の構造を表わす分解図である。
【図３】本発明の実施例１における横桟片の接合構造を表わす拡大斜視図である。
【図４】本発明の実施例１におけるＬ型板材による側柱部材と横桟部材の連結構造を表わす拡大斜視図である。
【図５】本発明の実施例１における第一ユニット部材の幅・高さの調節機能を表わす全体正面図である。
【図６】本発明の実施例１における第二ユニット部材を表わす全体上面図である。
【図７】本発明の実施例１における壁下地構築ユニットの設置状態を表わす状態説明図である。
【図８】本発明の実施例１における間仕切りの施工状態を表わす状態説明図である。
【図９】本発明の実施例２における浴室脱衣所の間仕切り壁構築キットを表わす分解斜視図である。
【図１０】本発明の実施例２における第三ユニット部材を表わす全体正面図である。
【図１１】本発明の実施例２における第四ユニット部材を表わす全体上面図である。
【図１２】本発明の実施例２における間仕切り壁の施工手順を表わす工程説明図である。
【図１３】本発明の実施例２における間仕切り壁の施工状態を表わす状態説明図である。
【図１４】本発明の実施例３における第一ユニット部材を表わす全体斜視図である。
【図１５】本発明の実施例３における第一ユニット部材の構造を表わす分解図である。
【図１６】本発明の実施例３における第一ユニット部材の使用状態を表わす全体正面図である。
【図１７】本発明の実施例４における第一ユニット部材を表わす全体斜視図である。
【図１８】本発明の実施例４における第一ユニット部材の構造を表わす分解図である。
【図１９】本発明の実施例４における連結片のスライド状態を表わす状態説明図である。
【発明を実施するための形態】
【００２４】
『実施例１』
まず本発明の実施例１について、図１から図８に基いて説明する。同図において、符号１で指示するものは側柱部材であり、符号２で指示するものは横桟部材である。また、符号３で指示するものは連結片である。
【００２５】
「第一ユニット部材の構成」
この実施例１では、平行に直立する左右の側柱部材１・１’(材質：集成材)に対し、これらの側柱部材１・１’を繋ぐように横桟部材２・２…(材質：集成材)を上端部から下端部まで所定間隔で配設して梯子型の第一ユニット部材Ｕ1を構成している(図１参照)。
【００２６】
また、上記第一ユニット部材Ｕ1の横桟部材２・２…は、左片Ｅと右辺Ｅ’に分割して構成すると共に、これらの対応する接合部位を相欠き状に形成して、この相欠き部21・21’を止着部材21aで連結している(図２参照)。
【００２７】
なお実施例１では、図３(a)に示すように、最上部と最下部の横桟部材Ｐ・Ｐの相欠き部21・21’を、接合面が上下方向を向くように形成する一方、中間部位の横桟部材Ｑ・Ｑ…の相欠き部21・21’は、図３(b)に示すように接合面が横向きとなるように形成している。
【００２８】
また、上記第一ユニット部材Ｕ1においては、図４に示すように左右の側柱部材１・１’の上端部の内側側面と最上部の横桟部材Ｐの両側下面に、Ｌ型金具31・31’ (材質：ステンレス)から成る連結片３・３’を止着部材32・32…で取り付けることにより横桟部材Ｐと側柱部材１・１’を連結している。
【００２９】
そして、第一ユニット部材Ｕ1を上記のように構成したことにより、図５(a)に示す状態から左辺片Ｅと右辺Ｅ’をスライドさせて任意の位置で相欠き部21・21’を止着すれば、図５(b)に示すように第一ユニット部材Ｕ1の幅を自由に調節することが可能となる。しかも、連結片３・３’の側柱部材１・１’に対する固定位置を上下に移動させれば第一ユニット部材Ｕ1の高さも調節できる。
【００３０】
「間仕切り壁の施工方法」
次に、上記第一ユニット部材Ｕ1を用いた間仕切り壁の施工方法について説明する。なお、本実施例に係る施工方法では、第一ユニット部材Ｕ1と一緒に横桟部材２を分割せずに設けた幅固定型の第二ユニット部材Ｕ2を使用する(図６参照)。ちなみに、この第二ユニット部材Ｕ2における、梯子型の形態や連結片３・３’による連結構造、材質などは第一ユニット部材Ｕ1と同じである。
【００３１】
まず、間仕切り壁を施工する前の準備として、室内の天井Ｃと床Ｆの間隔を測定しこれに合わせて第一ユニット部材Ｕ1と第二ユニット部材Ｕ2の高さを連結片３・３’の取り付け位置によって調節する。
【００３２】
また同様に、間仕切り壁の施工幅も測定し、この測定結果から第二ユニット部材Ｕ2のみを並べた場合に生じる余り幅を算出して、この余り幅が解消されるように第一ユニット部材Ｕ1の幅を横桟部材２の相欠き部21・21の止着位置によって調節する。
【００３３】
なお、上記の第一ユニット部材Ｕ1の幅を調節する作業は、中間部位の横桟部材Ｑ・Ｑ…の相欠き部21・21’を、接合面が横向きとなるように形成しているため、第一ユニット部材Ｕ1を寝かせた状態でも相欠き部21・21’のビス打ちが簡単に行える。また、最上部と最下部の横桟部材Ｐ・Ｐについては、下記の設置段階で止着を行ってもよい。
【００３４】
そして、上記準備を終えた後は、図７に示すように、第一ユニット部材Ｕ1と第二ユニット部材Ｕ2・Ｕ2…を、横桟部材Ｐ・Ｐを天井Ｃと床Ｆに順次固定して設置していく。なおこの際、最上部と最下部の横桟部材Ｐ・Ｐの相欠き部21・21’は、接合面が上下方向を向くように形成されているため、相欠き部21・21’を貫通してビス止めを行うことができる。
【００３５】
また、上記最上部の横桟部材Ｐを天井Ｃに固定する際には、ビス止めに加えてボードアンカーを使用することによってより強固に固定することもできる。そして、上記第一ユニット部材Ｕ1と第二ユニット部材Ｕ2・Ｕ2…を並べて設置した後は、隣り合うユニット部材の側柱部材１・１’をビス止めしてユニット部材同士を連結一体化する。
【００３６】
そして、上記第一ユニット部材Ｕ1と第二ユニット部材Ｕ2・Ｕ2…を室内に設置した後、図８に示すようにユニット部材に内壁パネルＮ・Ｎ…を取り付けて間仕切り壁を施工する。これにより、施工作業の容易化が図れるため、大工等の高度な技術を要せず間仕切り壁の施工を行うことができる。
【００３７】
『実施例２』
次に、本発明の実施例２について図９〜図１３に基いて以下に説明する。図中、符号４で指示するものは、縦桟部材である。この実施例２では、浴室脱衣所の間仕切り壁を構築するための施工キットに、第一ユニット部材Ｕ1と第二ユニット部材Ｕ2を使用する(図９参照)。
【００３８】
また実施例２では、上記第一ユニット部材Ｕ1と第二ユニット部材Ｕ2に加え、図１０(a)に示す、連結片３が左右の側柱部材１の一方側のみに設けられた、第二ユニット部材Ｕ2よりも幅が狭い第三ユニット部材Ｕ3も使用する。なお、この第三ユニット部材Ｕ3は、図１０(b)に示すように連結片３により高さ調節が可能であり、また上記以外の構造や材質については、第二ユニット部材Ｕ2と共通している。
【００３９】
また更に実施例２では、図１１(a)に示す、左右の側柱部材１・１’の上下端部を、側柱部材１・１’よりも長い横桟部材２・２によって連結し、更にこの側柱部材１・１’と横桟部材２・２の内側に縦桟部材４・４…を所定間隔で配設すると共に、一方の側柱部材１と横桟部材２とを連結片３で連結して作製した第四ユニット部材Ｕ4も使用する。
【００４０】
なお、上記第四ユニット部材Ｕ4は、図１１(b)に示すように横桟部材２に対する連結片３の取り付け位置により幅調節が可能である。また併せて、ユニットバスＢのドアＤの前方に設置する外付けドア枠Ｗも使用する。
【００４１】
「間仕切り壁の施工方法」
次に、図１２(a)に示す脱衣所側に突出した側壁部分Ｓを有するユニットバスを設置した浴室脱衣所における間仕切り壁の施工方法について説明する。まず、実施例１に係る施工方法と同様に、浴室脱衣所の室内の高さを測って第一ユニット部材Ｕ1と第二ユニット部材Ｕ2、第三ユニット部材Ｕ3の高さを連結片３により調節する。また、ユニットバスＢの突出した側壁部分Ｓに沿って設ける間仕切り壁の全幅Ｘも測定し、余り幅を算出して第一ユニット部材Ｕ1の幅調整も行う。
【００４２】
そして、図１２(b)に示すように、第一ユニット部材Ｕ1と第二ユニット部材Ｕ2をユニットバスＢの突出した側壁部分Ｓに沿って並設した後、突出した側壁の段差部分Ｒに沿って第三ユニット部材Ｕ3を第二ユニット部材Ｕ2と連続するように立設する。
【００４３】
その後、図１２(c)に示すように、ユニットバスＢのドアＤ前方に外付けドア枠Ｗを設置する。そして、図１２(d)に示すように、このドア枠Ｗの上方に第四ユニット部材Ｕ4を固定し、外付けドア枠Ｗと浴室脱衣所の内壁の間に生じる隙間には、適当な太さの棒材Ａを挿入する。
【００４４】
そして最後に、図１３に示すように、第一ユニット部材Ｕ1、第二ユニット部材Ｕ2、第三ユニット部材Ｕ3、第四ユニット部材Ｕ4に対し内壁パネルＮ・Ｎ…を取り付けて間仕切り壁を施工する。これにより、実施例１と同じく施工作業を容易化できるため、設備業者でも簡単に施工を行うことができる。
【００４５】
『実施例３』
次に、本発明の実施例３について図１４〜図１６に基いて以下に説明する。この実施例３では、第一ユニット部材Ｕ1の中間域の横桟部材Ｑ・Ｑ…を、相欠き部21・21’を有する左辺Ｅと右辺Ｅ’から構成すると共に、左辺Ｅと右辺Ｅ’の相欠き部21・21’の形状が上下の横桟部材Ｑ・Ｑで逆になるように作製している(図１４、図１５参照)。
【００４６】
これにより、図１６に示すように、横桟部材Ｑ・Ｑ…の左辺Ｅと右辺Ｅ’を連結する際、横桟部材２の中心を割り出してビス等の止着部材21a・21a…を打たなくとも、左辺Ｅまたは右辺Ｅ’の端部から一定の距離を打てば止着位置を左右交互に均等に寄せることができるため、強度等の問題が生じることなく第一ユニット部材の組立て作業を容易化できる。
【００４７】
『実施例４』
次に、本発明の実施例４について図１７〜図１９に基いて以下に説明する。この実施例４では、側柱部材１・１’と最上部の横桟部材Ｐとを連結するための連結片３・３’に、下側に切欠部33aを有する棒部材33(材質；木材)を使用しており、更にこの棒部材33の下側側面部には上下方向に伸びたスリット34を設けている（図１７、図１８参照）。
【００４８】
これにより、上記連結片３・３’を側柱部材１・１’に当接させた状態でスリット34・34’に頭付きの止着部材32・32を差し込み緊締すれば連結片３・３’を側柱部材１・１’に固定することができ、また、前記止着部材32・32を緩めることで、図１９(a)及び(b)に示すようにスリット34・34’に沿って連結片３・３’を上下方向にスライドさせることも可能となる。
【００４９】
そしてこれにより、第一ユニット部材Ｕ1、第二ユニット部材Ｕ2、及び第三ユニット部材Ｕ3の高さ調節、並びに第四ユニット部材Ｕ4の幅調節を容易に行うことが可能となるため、施工作業の迅速化を図れる。
【００５０】
本発明は、概ね上記のように構成されるが、本発明は図示の実施形態に限定されるものでは決してなく、「特許請求の範囲」の記載内において種々の変更が可能であって、例えば、第一ユニット部材Ｕ1における横桟部材２の左辺Ｅと右辺Ｅ’の連結構造は、間隔調節が自在であればスライダ構造や嵌合い式の伸縮構造などを採用してもよい。
【００５１】
また、各ユニット部材の側柱部材１や横桟部材２、縦桟部材４の材質には、木材や木質プラスチック、金属材料などを採用することもできる。また同様に、連結片３の材質に、他の金属材料やプラスチック材料を採用することもできる。
【００５２】
そしてまた、第一ユニット部材Ｕ1、第二ユニット部材Ｕ2、第三ユニット部材Ｕ3の連結片３は、上側のコーナーに取り付けなくとも、側柱部材１の下端部の内側側面と、最下部の横桟部材Ｐの上面に取着して下側のコーナーに取り付けてもよい。
【００５３】
また、本発明に係る壁下地構築ユニットは、間仕切り壁に限らず内外壁の壁下地にも使用することができ、何れのものも本発明の技術的範囲に属する。
【産業上の利用可能性】
【００５４】
最近では、ユニットバスを用いた浴室脱衣所のリフォームが主流となっており、このリフォーム工事では既存の間仕切り壁を取り壊してユニットバスを設置した後、間仕切り壁を再度構築する工程が必須となる。また、浴室脱衣所のリフォーム工事では、施工を迅速かつ低予算に行う必要がある。
【００５５】
そのような中で、本発明の壁下地構築ユニット、壁下地構築キット、及び浴室脱衣所の間仕切り壁構築キットは、経済的で施工性にも優れた有用な技術であることから、その産業上の利用価値は非常に高い。
【符号の説明】
【００５６】
１  側柱部材
２  横桟部材
21  相欠き部
21a  止着部材
３  連結片
31  Ｌ型金具
32  止着部材
33  棒部材
33a  切欠部
34  スリット
４  縦桟部材
Ｕ1  第一ユニット部材
Ｕ2  第二ユニット部材
Ｕ3  第三ユニット部材
Ｕ4  第四ユニット部材
Ｃ  天井
Ｆ  床
Ｎ  内壁パネル
Ｂ  ユニットバス
Ｄ  ドア
Ｗ  外付けドア枠
Ｓ  突出した側壁部分
Ｒ  段差部分
Ａ  棒材
【図１】
0005643559.tif 000002
【図２】
0005643559.tif 000003
【図３】
0005643559.tif 000004
【図４】
0005643559.tif 000005
【図５】
0005643559.tif 000006
【図６】
0005643559.tif 000007
【図７】
0005643559.tif 000008
【図８】
0005643559.tif 000009
【図９】
0005643559.tif 000010
【図１０】
0005643559.tif 000011
【図１１】
0005643559.tif 000012
【図１２】
0005643559.tif 000013
【図１３】
0005643559.tif 000014
【図１４】
0005643559.tif 000015
【図１５】
0005643559.tif 000016
【図１６】
0005643559.tif 000017
【図１７】
0005643559.tif 000018
【図１８】
0005643559.tif 000019
【図１９】
0005643559.tif 000020